(57)【要約】【課題】人感センサや顔カメラや足元カメラによる人の検出に応じて機器が省電力状態から通常状態に復帰するよう構成された場合に比較して、操作部を真に操作しようとしている際に機器が省電力状態から通常状態に復帰する可能性を高める。【解決手段】復帰制御装置２０では、位置情報比較部２４が、機器が通常状態よりも消費電力が低下した省電力状態にある場合に機器を省電力状態から通常状態に復帰させるために操作される操作部に手又は指が接近していることを検出し、復帰制御部２５が、機器が省電力状態にある場合に、位置情報比較部２４により操作部に手又は指が接近していることが検出されれば、操作部が操作されなくても、機器を省電力状態から通常状態に復帰させる。【選択図】図２
2017209883.tif 000002
【特許請求の範囲】
【請求項１】
機器が通常状態よりも消費電力が低下した省電力状態にある場合に当該機器を当該省電力状態から当該通常状態に復帰させるために操作される操作部に手又は指が接近していることを検出する検出手段と、
前記機器が前記省電力状態にある場合に、前記検出手段により前記操作部に手又は指が接近していることが検出されれば、前記操作部が操作されなくても、当該機器を当該省電力状態から前記通常状態に復帰させる復帰手段と
を備えたことを特徴とする復帰制御装置。
【請求項２】
前記検出手段は、前記操作部の近くの一点を中心とした予め定められた範囲内に手又は指が存在することを検出することにより、前記操作部に手又は指が接近していることを検出することを特徴とする請求項１に記載の復帰制御装置。
【請求項３】
前記検出手段は、前記範囲内に手又は指が予め定められた時間存在し続けていることを検出することにより、前記操作部に手又は指が接近していることを検出することを特徴とする請求項２に記載の復帰制御装置。
【請求項４】
前記検出手段は、前記予め定められた時間として、前記操作部の種別又は前記機器の使用環境に応じた時間を用いることを特徴とする請求項３に記載の復帰制御装置。
【請求項５】
前記操作部に接近していることが検出された手又は指の特徴に応じた形式で、前記操作部に対応する表示画面に情報を表示する表示手段を更に備えたことを特徴とする請求項１に記載の復帰制御装置。
【請求項６】
画像処理を指示する際に操作される操作部であって、自装置が通常状態よりも消費電力が低下した省電力状態にある場合に自装置を当該省電力状態から当該通常状態に復帰させるために操作される操作部と、
自装置が前記省電力状態にある場合に、前記操作部に手又は指が接近していれば、前記操作部が操作されなくても、自装置を当該省電力状態から前記通常状態に復帰させる復帰手段と
を備えたことを特徴とする画像処理装置。
【請求項７】
コンピュータに、
機器が通常状態よりも消費電力が低下した省電力状態にある場合に当該機器を当該省電力状態から当該通常状態に復帰させるために操作される操作部に手又は指が接近していることを検出する機能と、
前記機器が前記省電力状態にある場合に、前記操作部に手又は指が接近していることが検出されれば、前記操作部が操作されなくても、当該機器を当該省電力状態から前記通常状態に復帰させる機能と
を実現させるためのプログラム。
【発明の詳細な説明】
【技術分野】
【０００１】
本発明は、復帰制御装置、画像処理装置及びプログラムに関する。
【背景技術】
【０００２】
操作パネルユニットが、操作パネル近傍の人を検出するための人感センサを含み、操作パネルの操作、入力データの受信または人感センサの検出に起因して再起動要求を出力するための機能を含む多機能装置は、知られている（例えば、特許文献１参照）。
【０００３】
人物を撮像して、この映像にある顔の情報を元に個人認証することが可能なカメラを有する画像処理装置において、人物を検出して、その後の個人を特定する比較動作を行う直前の状態をトリガとして、予熱モードに移行または予熱モードからの復帰を行う制御を司る制御手段を備えることも、知られている（例えば、特許文献２参照）。
【０００４】
足元カメラで撮影した画像から、足の向きを判別し、人が画像処理装置に向かっていると判別した場合は、省エネモードから復帰することを指示する画像処理装置も、知られている（例えば、特許文献３参照）。
【先行技術文献】
【特許文献】
【０００５】
【特許文献１】特開２０１０−１５７７８９号公報
【特許文献２】特開２００７−２７９６０３号公報
【特許文献３】特開２０１５−２３８２号公報
【発明の概要】
【発明が解決しようとする課題】
【０００６】
ここで、人感センサや顔カメラや足元カメラによる人の検出に応じて機器が省電力状態から通常状態に復帰する構成を採用した場合には、通行人等を誤検出して、操作部を真に操作しようとしているわけではないにも関わらず機器が省電力状態から通常状態に復帰してしまう虞がある。
【０００７】
本発明の目的は、人感センサや顔カメラや足元カメラによる人の検出に応じて機器が省電力状態から通常状態に復帰するよう構成された場合に比較して、操作部を真に操作しようとしている際に機器が省電力状態から通常状態に復帰する可能性を高めることにある。
【課題を解決するための手段】
【０００８】
請求項１に記載の発明は、機器が通常状態よりも消費電力が低下した省電力状態にある場合に当該機器を当該省電力状態から当該通常状態に復帰させるために操作される操作部に手又は指が接近していることを検出する検出手段と、前記機器が前記省電力状態にある場合に、前記検出手段により前記操作部に手又は指が接近していることが検出されれば、前記操作部が操作されなくても、当該機器を当該省電力状態から前記通常状態に復帰させる復帰手段とを備えたことを特徴とする復帰制御装置である。
請求項２に記載の発明は、前記検出手段は、前記操作部の近くの一点を中心とした予め定められた範囲内に手又は指が存在することを検出することにより、前記操作部に手又は指が接近していることを検出することを特徴とする請求項１に記載の復帰制御装置である。
請求項３に記載の発明は、前記検出手段は、前記範囲内に手又は指が予め定められた時間存在し続けていることを検出することにより、前記操作部に手又は指が接近していることを検出することを特徴とする請求項２に記載の復帰制御装置である。
請求項４に記載の発明は、前記検出手段は、前記予め定められた時間として、前記操作部の種別又は前記機器の使用環境に応じた時間を用いることを特徴とする請求項３に記載の復帰制御装置である。
請求項５に記載の発明は、前記操作部に接近していることが検出された手又は指の特徴に応じた形式で、前記操作部に対応する表示画面に情報を表示する表示手段を更に備えたことを特徴とする請求項１に記載の復帰制御装置である。
請求項６に記載の発明は、画像処理を指示する際に操作される操作部であって、自装置が通常状態よりも消費電力が低下した省電力状態にある場合に自装置を当該省電力状態から当該通常状態に復帰させるために操作される操作部と、自装置が前記省電力状態にある場合に、前記操作部に手又は指が接近していれば、前記操作部が操作されなくても、自装置を当該省電力状態から前記通常状態に復帰させる復帰手段とを備えたことを特徴とする画像処理装置である。
請求項７に記載の発明は、コンピュータに、機器が通常状態よりも消費電力が低下した省電力状態にある場合に当該機器を当該省電力状態から当該通常状態に復帰させるために操作される操作部に手又は指が接近していることを検出する機能と、前記機器が前記省電力状態にある場合に、前記操作部に手又は指が接近していることが検出されれば、前記操作部が操作されなくても、当該機器を当該省電力状態から前記通常状態に復帰させる機能とを実現させるためのプログラムである。
【発明の効果】
【０００９】
請求項１の発明によれば、人感センサや顔カメラや足元カメラによる人の検出に応じて機器が省電力状態から通常状態に復帰するよう構成された場合に比較して、操作部を真に操作しようとしている際に機器が省電力状態から通常状態に復帰する可能性が高まる。
請求項２の発明によれば、操作部に手又は指が接近していることを検出するための範囲を操作部の近くに定めないよう構成された場合に比較して、操作部を真に操作しようとしていることの検出精度が高まる。
請求項３の発明によれば、操作部の近くに定められた範囲内に手又は指が一時的に存在することにより操作部に手又は指が接近していることを検出するよう構成された場合に比較して、操作部を真に操作しようとしているわけではない人を誤検出する可能性を低下させることができる。
請求項４の発明によれば、操作部の近くに定められた範囲内に手又は指がある時間存在し続けることにより操作部に手又は指が接近していることを検出する際にその時間を固定の長さとするよう構成された場合に比較して、操作部を真に操作しようとしているわけではない人を誤検出する可能性をより一層低下させることができる。
請求項５の発明によれば、操作部に手又は指を接近させた操作者に相応しい形式で操作部に対応する表示画面に情報を表示することができる。
請求項６の発明によれば、人感センサや顔カメラや足元カメラによる人の検出に応じて画像処理装置が省電力状態から通常状態に復帰するよう構成された場合に比較して、操作部を真に操作しようとしている際に画像処理装置が省電力状態から通常状態に復帰する可能性が高まる。
請求項７の発明によれば、人感センサや顔カメラや足元カメラによる人の検出に応じて機器が省電力状態から通常状態に復帰するよう構成された場合に比較して、操作部を真に操作しようとしている際に機器が省電力状態から通常状態に復帰する可能性が高まる。
【図面の簡単な説明】
【００１０】
【図１】本発明の実施の形態における画像処理装置のハードウェア構成例を示した図である。
【図２】本発明の実施の形態における復帰制御装置の機能構成例を示したブロック図である。
【図３】本発明の実施の形態の位置比較情報記憶部に記憶された位置比較情報の一例を示した図である。
【図４】本発明の実施の形態の特徴比較情報記憶部に記憶された特徴比較情報の一例を示した図である。
【図５】本発明の実施の形態における復帰制御装置の動作例を示したフローチャートである。
【発明を実施するための形態】
【００１１】
以下、添付図面を参照して、本発明の実施の形態について詳細に説明する。
【００１２】
［画像処理装置のハードウェア構成］
図１は、本実施の形態における画像処理装置１０のハードウェア構成例を示した図である。図示するように、画像処理装置１０は、ＣＰＵ（Central Processing Unit）１１と、ＲＡＭ（Random Access Memory）１２と、ＲＯＭ（Read Only Memory）１３と、ＨＤＤ（Hard Disk Drive）１４と、操作パネル１５と、画像読取部１６と、画像形成部１７と、通信インターフェース（以下、「通信Ｉ／Ｆ」と表記する）１８と、センサ１９とを備える。
【００１３】
ＣＰＵ１１は、ＲＯＭ１３等に記憶された各種プログラムをＲＡＭ１２にロードして実行することにより、後述する各機能を実現する。
【００１４】
ＲＡＭ１２は、ＣＰＵ１１の作業用メモリ等として用いられるメモリである。
【００１５】
ＲＯＭ１３は、ＣＰＵ１１が実行する各種プログラム等を記憶するメモリである。
【００１６】
ＨＤＤ１４は、画像読取部１６が読み取った画像データや画像形成部１７における画像形成にて用いる画像データ等を記憶する例えば磁気ディスク装置である。
【００１７】
操作パネル１５は、各種情報を表示するディスプレイと、ユーザが操作入力を行うためのキーボードとを含む。ここで、ディスプレイは、指やスタイラスペン等で指示された位置を検出する位置検出シートを備えたタッチパネルでもよい。また、キーボードは、スタートボタン、数字キー等を含む。
【００１８】
画像読取部１６は、紙等の記録媒体に記録された画像を読み取る。ここで、画像読取部１６は、例えばスキャナであり、光源から原稿に照射した光に対する反射光をレンズで縮小してＣＣＤ（Charge Coupled Devices）で受光するＣＣＤ方式や、ＬＥＤ光源から原稿に順に照射した光に対する反射光をＣＩＳ（Contact Image Sensor）で受光するＣＩＳ方式のものを用いるとよい。
【００１９】
画像形成部１７は、記録媒体に画像を形成する。ここで、画像形成部１７は、例えばプリンタであり、感光体に付着させたトナーを記録媒体に転写して像を形成する電子写真方式や、インクを記録媒体上に吐出して像を形成するインクジェット方式のものを用いるとよい。
【００２０】
通信Ｉ／Ｆ１８は、通信回線（図示せず）を介して他の装置との間で各種情報の送受信を行う。
【００２１】
センサ１９は、発光部及び受光部を含み、発光部から発する光の反射光を受光部で検出することで、三次元の手又は指の位置及び特徴を検知する。ここで、発光部としては、３個の赤外線ＬＥＤを用いるとよく、受光部としては、１個の赤外線カメラを用いるとよい。但し、これはあくまで一例であり、特に実装数は画像処理装置１０の形状に依存する。
【００２２】
［本実施の形態の概要］
本実施の形態は、画像処理装置１０が通常状態よりも消費電力が低下した省電力状態にある場合に、操作部に手又は指が接近していることが検出されれば、操作部が操作されなくても、画像処理装置１０を省電力状態から通常状態に復帰させるものである。
【００２３】
ここで、操作部は、画像処理を指示する際に操作される部分であり、操作パネル１５だけでなく、画像読取部１６で画像読取りを行う際に原稿が置かれるプラテン等も含む。また、本実施の形態では、操作部を指で操作する際に、手又は指の位置情報及び特徴情報を取得するが、以下では、説明を簡潔にするため、「手又は指」を、手首から指先までを意味する「手」という文言で表すものとする。
【００２４】
［復帰制御装置の構成］
図２は、本実施の形態における復帰制御装置２０の機能構成例を示したブロック図である。ここで、復帰制御装置２０は、画像処理装置１０のＣＰＵ１１（図１参照）が、後述する各機能部を実現するプログラムを例えばＲＯＭ１３（図１参照）からＲＡＭ１２（図１参照）に読み込んで実行することにより、実現される装置として捉えられる。復帰制御装置２０は、図示するように、復帰トリガ検出部２１と、手位置情報取得部２２と、位置比較情報記憶部２３と、位置情報比較部２４と、復帰制御部２５と、手特徴情報取得部２６と、特徴比較情報記憶部２７と、特徴情報比較部２８と、表示制御部２９とを備える。
【００２５】
復帰トリガ検出部２１は、画像処理装置１０を省電力状態から通常状態に復帰させる復帰トリガのうち、操作部が手で操作されることによる復帰トリガ以外の復帰トリガを検出する。操作部が手で操作されることによる復帰トリガ以外の復帰トリガとしては、例えば、通信回線（図示せず）からの印刷データ等の受信がある。
【００２６】
手位置情報取得部２２は、操作部が手で操作されようとするとセンサ１９が手の位置を検知するので、この検知された位置を示す手位置情報を取得する。ここで、手位置情報は、三次元空間における座標（ＸＨ，ＹＨ，ＺＨ）で表せばよい。
【００２７】
位置比較情報記憶部２３は、例えばＨＤＤ１４（図１参照）によって実現され、操作部の種別ごとに、操作部の周辺の一点の位置を示す操作部周辺位置情報と、手位置情報と操作部周辺位置情報とを比較する時間である比較時間の長さを示す比較時間情報とを対応付けた位置比較情報を記憶する。ここで、操作部周辺位置情報は、三次元空間における座標（ＸＯ，ＹＯ，ＺＯ）で表せばよく、比較時間情報は、時間Ｔで表せばよい。この位置比較情報の具体例については後述する。
【００２８】
位置情報比較部２４は、操作部に手が接近していることを検出するために、手位置情報取得部２２が取得した手位置情報と、位置比較情報記憶部２３に記憶された位置比較情報に含まれる各操作部周辺位置情報とを比較する。そして、手位置情報と、何れかの操作部周辺位置情報とが、その操作部周辺位置情報に対応する比較時間情報により示される比較時間の間、一致し続けているかどうかを判定する。但し、ここでいう「一致」は、完全一致ではなく、幅を持たせた一致を意味するものとする。つまり、手位置情報により示される位置が、何れかの操作部周辺位置情報により示される位置を中心とした直方体の範囲に、その操作部周辺位置情報に対応する比較時間情報により示される比較時間の間、存在し続けている場合に、これらの位置は一致し続けていると判定する。具体的には、ＸＨ≦ＸＯ±ΔＸ、かつ、ＹＨ≦ＹＯ±ΔＹ、かつ、ＺＨ≦ＺＯ±ΔＺが、時間Ｔの間、成立し続けている場合に、（ＸＨ，ＹＨ，ＺＨ）と（ＸＯ，ＹＯ，ＺＯ）とは一致し続けていると判定する。本実施の形態では、操作部に手又は指が接近していることを検出する検出手段の一例として、位置情報比較部２４を設けている。また、上記では、操作部周辺位置情報により示される位置を中心とした直方体の範囲としたが、操作部周辺とは操作部の近くであり、直方体は如何なる立体図形であってもよいので、これは、操作部の近くの一点を中心とした予め定められた範囲の一例である。更に、比較時間は、予め定められた時間の一例である。
【００２９】
復帰制御部２５は、手位置情報と、何れかの操作部周辺位置情報とが、その操作部周辺位置情報に対応する比較時間情報により示される比較時間の間、一致し続けていると判定されれば、画像処理装置１０が省電力状態から通常状態に復帰するよう、電源部（図示せず）を制御する。本実施の形態では、画像処理装置を省電力状態から通常状態に復帰させる復帰手段の一例として、復帰制御部２５を設けている。
【００３０】
手特徴情報取得部２６は、操作部が手で操作されようとするとセンサ１９が手の特徴も検知するので、この検知された特徴を示す手特徴情報を取得する。ここで、手の特徴には、手の大きさ、指の長さ、指の太さ等があるが、以下では、手の特徴として、指の長さ及び太さを例にとる。この場合、取得した手特徴情報は、指の長さ及び太さの組み合わせ（ＬＡ，ＷＡ）で表せばよい。
【００３１】
特徴比較情報記憶部２７は、例えばＨＤＤ１４（図１参照）によって実現され、手の特徴を示す手特徴情報と、その手の特徴に対して相応しい表示形式を示す表示形式情報とを対応付けた特徴比較情報を記憶する。ここで、特徴比較情報に含まれる手特徴情報は、指の長さ及び太さの組み合わせ（ＬＲ，ＷＲ）で表せばよい。この特徴比較情報の具体例についても後述する。
【００３２】
特徴情報比較部２８は、手特徴情報取得部２６が取得した手特徴情報と、特徴比較情報記憶部２７に記憶された特徴比較情報に含まれる各手特徴情報とを比較する。そして、取得された手特徴情報と、特徴比較情報に含まれる何れかの手特徴情報とが、一致するかどうかを判定する。但し、ここでいう「一致」は、完全一致ではなく、幅を持たせた一致を意味するものとする。つまり、取得された手特徴情報により示される特徴が、特徴比較情報に含まれる何れかの手特徴情報により示される特徴を中心とした予め定められた範囲に存在する場合に、これらの特徴は一致すると判定する。具体的には、ＬＡ≦ＬＲ±ΔＬ、かつ、ＷＡ≦ＷＲ±ΔＷが成立する場合に、（ＬＡ，ＷＡ）と（ＬＲ，ＷＲ）とは一致すると判定する。
【００３３】
表示制御部２９は、取得された手特徴情報と、特徴比較情報に含まれる何れかの手特徴情報とが一致すると判定されれば、その手特徴情報に対応する表示形式情報を取り出し、この表示形式情報により示される表示形式のＵＩ画面がディスプレイに表示されるよう、操作パネル１５を制御する。ここで、表示形式には、アイコンのサイズ及び間隔、文字のサイズ及び間隔、漢字表示かひらがな表示かの区別等がある。このうち、漢字表示かひらがな表示かの区別は、子供か大人か、つまり、年齢に応じて切り替えるようにするとよい。本実施の形態では、操作部に対応する表示画面に情報を表示する表示手段の一例として、表示制御部２９を設けている。
【００３４】
ここで、位置比較情報記憶部２３に記憶された位置比較情報について説明する。図３は、位置比較情報の一例を示した図である。この位置比較情報は、図示するように、操作部の種別ごとのレコードを含む。ここでは、ディスプレイ、スタートボタン及びプラテンに対するレコードが示されている。また、各レコードは、操作部の周辺の一点の位置を示す操作部周辺位置情報と、手位置情報と操作部周辺位置情報とを比較する時間である比較時間の長さを示す比較時間情報とを含む。このうち、操作部周辺位置情報において、ＸＯ，ＹＯ，ＺＯはそれぞれ操作部の周辺の一点の三次元空間におけるＸ座標、Ｙ座標、Ｚ座標を示す。また、比較時間情報において、Ｔは比較時間の長さを示す。比較時間ＴにはＴ１〜ＴＮが設定されているが、ディスプレイにタッチしようとしているユーザは、省電力状態からの早い復帰を望んでいると考えられるので、Ｔ１はＴ２やＴＮより短くするとよい。尚、図には、備考として、操作部の種別も示しているが、これは説明のためであり、この備考の情報は、位置比較情報には含まれない。
【００３５】
また、特徴比較情報記憶部２７に記憶された特徴比較情報について説明する。図４は、特徴比較情報の一例を示した図である。この特徴比較情報は、図示するように、ユーザの種別ごとのレコードを含む。ここでは、子供及び大人１〜Ｎに対するレコードが示されている。また、各レコードは、指の長さ及び太さを示す手特徴情報と、その指の長さ及び太さに相応しいＵＩ画面の表示形式を示す表示形式情報とを含む。このうち、手特徴情報において、ＬＲは指の長さを示し、ＷＲは指の太さを示す。また、表示形式情報において、「間隔」はアイコンの間隔を示し、「アイコン」はアイコンのサイズを示す。尚、図には、備考として、ユーザの種別も示しているが、これは説明のためであり、この備考の情報は、特徴比較情報には含まれない。
【００３６】
［復帰制御装置の動作］
図５は、本実施の形態における復帰制御装置２０の動作例を示したフローチャートである。
【００３７】
動作が開始すると、復帰制御装置２０では、まず、復帰トリガ検出部２１が、操作部が手で操作されることによる復帰トリガ以外の復帰トリガを検出したかどうかを判定する（ステップ２０１）。操作部が手で操作されることによる復帰トリガ以外の復帰トリガを検出したと復帰トリガ検出部２１により判定されれば、処理はステップ２０５へ進む。
【００３８】
また、操作部が手で操作されることによる復帰トリガ以外の復帰トリガを検出したと復帰トリガ検出部２１により判定されなければ、手位置情報取得部２２が、操作部を操作しようとする手の位置を示す手位置情報をセンサ１９から取得できたかどうかを判定する（ステップ２０２）。操作部を操作しようとする手の位置を示す手位置情報をセンサ１９から取得できたと手位置情報取得部２２により判定されなければ、処理はステップ２０１へ戻る。
【００３９】
また、操作部を操作しようとする手の位置を示す手位置情報をセンサ１９から取得できたと手位置情報取得部２２により判定されれば、位置情報比較部２４が、取得された手位置情報が、位置比較情報記憶部２３に記憶された位置比較情報に含まれる各操作部周辺位置情報に一致するかどうかを判定する（ステップ２０３）。具体的には、取得された手位置情報により示される位置が、何れかの操作部周辺位置情報により示される位置を中心とした直方体の範囲に存在するかどうかを判定する。取得された手位置情報が何れかの操作部周辺位置情報に一致すると位置情報比較部２４により判定されなければ、処理はステップ２０１へ戻る。
【００４０】
また、取得された手位置情報が何れかの操作部周辺位置情報に一致すると位置情報比較部２４により判定されれば、位置情報比較部２４は、手位置情報が、操作部周辺位置情報に、位置比較情報記憶部２３に記憶された位置比較情報で操作部周辺位置情報に対応付けられた比較時間が経過するまで一致し続けたかどうかを判定する（ステップ２０４）。手位置情報が操作部周辺位置情報に比較時間が経過するまで一致し続けたと位置情報比較部２４により判定されなければ、処理はステップ２０１へ戻る。一方、手位置情報が操作部周辺位置情報に比較時間が経過するまで一致し続けたと位置情報比較部２４により判定されれば、処理はステップ２０５へ進む。
【００４１】
ステップ２０１で操作部が手で操作されることによる復帰トリガ以外の復帰トリガが検出された場合、又は、ステップ２０４で手位置情報が操作部周辺位置情報に比較時間が経過するまで一致し続けたと判定された場合、復帰制御部２５は、画像処理装置１０が省電力状態から通常状態に復帰するように制御する（ステップ２０５）。
【００４２】
この場合は、引き続き、手特徴情報取得部２６が、操作部を操作しようとする手の特徴を示す手特徴情報をセンサ１９から取得できたかどうかを判定する（ステップ２０６）。操作部を操作しようとする手の特徴を示す手特徴情報をセンサ１９から取得できたと手特徴情報取得部２６により判定されなければ、処理はステップ２０９へ進む。
【００４３】
また、操作部を操作しようとする手の特徴を示す手特徴情報をセンサ１９から取得できたと手特徴情報取得部２６により判定されれば、特徴情報比較部２８が、取得された手特徴情報が、特徴比較情報記憶部２７に記憶された特徴比較情報に含まれる各手特徴情報に一致するかどうかを判定する（ステップ２０７）。具体的には、取得された手特徴情報により示される特徴が、特徴比較情報に含まれる何れかの手特徴情報により示される特徴を中心とした予め定められた範囲に存在するかどうかを判定する。取得された手特徴情報が特徴比較情報に含まれる何れかの手特徴情報に一致すると特徴情報比較部２８により判定されなければ、処理はステップ２０９へ進む。
【００４４】
一方、取得された手特徴情報が特徴比較情報に含まれる何れかの手特徴情報に一致すると特徴情報比較部２８により判定されれば、表示制御部２９が、特徴比較情報に含まれる手特徴情報に特徴比較情報で対応付けられた表示形式情報により示される表示形式でＵＩ画面を操作パネル１５のディスプレイに表示するように制御する（ステップ２０８）。
【００４５】
ステップ２０６で操作部を操作しようとする手の特徴を示す手特徴情報をセンサ１９から取得できたと判定されなかった場合、又は、ステップ２０７で取得された手特徴情報が特徴比較情報に含まれる何れかの手特徴情報に一致すると特徴情報比較部２８により判定されなかった場合、表示制御部２９は、通常の表示形式でＵＩ画面を操作パネル１５のディスプレイに表示するように制御する（ステップ２０９）。
【００４６】
この動作例では、ステップ２０６〜２０９において、操作部を操作しようとする手の特徴を示す手特徴情報に応じた表示形式でＵＩ画面をディスプレイに表示する処理を行ったが、この処理は行わなくてもよい。つまり、この動作例は、ステップ２０５で画像処理装置１０を省電力状態から通常状態に復帰させたら終了させてもよい。
【００４７】
尚、本実施の形態では、手位置情報と操作部周辺位置情報とを比較する時間である比較時間を、操作部の種別に応じて変えたが、この限りではない。例えば、比較時間は、操作部の種別に関わらず同じとしてもよい。或いは、比較時間は、操作部の種別に応じて変えるのではなく、画像処理装置１０の使用環境に応じて変えてもよい。ここで、画像処理装置１０の使用環境としては、例えば、画像処理装置１０の利用頻度や利用時間等の利用状況がある。また、画像処理装置１０の設置場所もある。例えば、画像処理装置１０がオフィスに設置されていれば、それほど人通りが多くないので、省電力状態からの素早い復帰を重視して、比較時間は短くすればよい。一方、画像処理装置１０がコンビニエンスストアに設置されていれば、人通りが多いので、誤検出の防止を重視して、比較時間は長くすればよい。
【００４８】
また、本実施の形態では、操作部の１つとして、画像処理装置１０が備える操作パネル１５上のディスプレイを示したが、この限りではない。例えば、画像処理装置１０とは独立に設置された大画面ＵＩを操作部としてもよい。或いは、画像処理装置１０に併設されたコインキットの硬貨投入口を操作部としてもよい。
【００４９】
更に、本実施の形態では、画像処理装置１０が省電力状態にある場合に、画像処理装置１０内の復帰制御装置２０が、画像処理装置１０を省電力状態から通常状態に復帰させる場合について述べたが、これには限らない。ある機器が省電力状態にある場合に、その機器の外部にある復帰制御装置２０が、その機器を省電力状態から通常状態に復帰させるものであってもよい。
【００５０】
［プログラム］
本実施の形態における復帰制御装置２０が行う処理は、例えば、アプリケーションソフトウェア等のプログラムとして用意される。
【００５１】
即ち、本実施の形態を実現するプログラムは、コンピュータに、機器が通常状態よりも消費電力が低下した省電力状態にある場合に機器を省電力状態から通常状態に復帰させるために操作される操作部に手又は指が接近していることを検出する機能と、機器が省電力状態にある場合に、操作部に手又は指が接近していることが検出されれば、操作部が操作されなくても、機器を省電力状態から通常状態に復帰させる機能とを実現させるためのプログラムとして捉えられる。
【００５２】
尚、本実施の形態を実現するプログラムは、通信手段により提供することはもちろん、ＣＤ−ＲＯＭ等の記録媒体に格納して提供することも可能である。
【符号の説明】
【００５３】
１０…画像処理装置、２０…復帰制御装置、２１…復帰トリガ検出部、２２…手位置情報取得部、２３…位置比較情報記憶部、２４…位置情報比較部、２５…復帰制御部、２６…手特徴情報取得部、２７…特徴比較情報記憶部、２８…特徴情報比較部、２９…表示制御部
【図１】
2017209883.tif 000003
【図２】
2017209883.tif 000004
【図３】
2017209883.tif 000005
【図４】
2017209883.tif 000006
【図５】
2017209883.tif 000007